(57)【要約】【課題】リングバインダーへ着脱自在なファイルカバーを提供する。【解決手段】リングバインダー8の縦横寸法に適合するバックプレート1の一面にフック爪5を設けて、リングバインダーへの係合手段とし、バックプレート1をファイルカバー6の背表紙部分に固定する。リングバインダーをバックプレートへ押し付けるとフック爪がリングバインダーへ係合して、リングバインダーで綴じた冊子Bにファイルカバーが装着される。【選択図】図４
2005262495.tif 000002
【特許請求の範囲】
【請求項１】
背骨部にリング部を配列したリングバインダーへ装着するバックプレートであって、前記バックプレートの一面にリングバインダーへの係合手段を設け、リングバインダーへ着脱自在に形成したリングバインダー用のバックプレート。
【請求項２】
上記係合手段は可撓性のフック爪であり、前記フック爪がリングバインダーの背骨部またはリング部へ係合してリングバインダーとバックプレートが連結されるように構成した請求項１記載のリングバインダー用のバックプレート。
【請求項３】
リングバインダーへ装着すべきバックプレートの側面から側方へ突出する可撓性のバインドタブを設け、バインドタブの先端にフック爪を設けるとともに、バインドタブをバックプレート側へ折畳んだときに前記フック爪が嵌合する係合溝を形成し、バインドタブをリングバインダーの背骨部へ掛け回して折畳み、フック爪を前記係合溝へ嵌合させることにより、リングバインダーとバックプレートが連結されるように構成した請求項１記載のリングバインダー用のバックプレート。
【請求項４】
冊子の表紙となるファイルカバーの背表紙部分に上記請求項１、２または3記載のバックプレートを装着してリングバインダーへ着脱自在に形成したリングバインダー用のファイルカバー。
【発明の詳細な説明】
【技術分野】
【０００１】
この発明は、ファイリング用具に関するものであり、特に、リングバインダーへ着脱できるようにしたバックプレート並びにファイルカバーに関するものである。
【背景技術】
【０００２】
多穴パンチ装置で穿孔処理した書類や市販のルーズリーフ用紙を綴じるファイリング用具として、表紙と背表紙と裏表紙が一体となっているファイルカバーの背表紙の内面に金属或いは樹脂の開閉式リングバインダーを固定したファイリングバインダーは従来から一般に広く用いられている。
【０００３】
また、ファイルカバーを有しない単体のリングバインダーも種々の形状のものがあり、広く知られているものの一つに、平面形状が櫛形の樹脂製ストリップを筒形に曲げ成形し、櫛歯部分をリング形状としたリングバインダー（特許文献１）がある。この筒形リングバインダーを拡げて多数の櫛歯部分を用紙のパンチ穴にそれぞれ挿入し、拡開を解除すればリングバインダーが筒形に復元して用紙が綴じられる。
【０００４】
また、より装着が簡単なものとしては、細長い背骨部の両辺に沿って1/2リング部を並設し、背骨部をはさんで対を成す1/2リング部をリング形状に閉じて相互の先端部を嵌合させることにより用紙を綴じる樹脂製のリングバインダー（特許文献２）や、リング部を三分割した構成の樹脂製リングバインダー（特許文献３）が知られている。
【特許文献１】特開2001-18571号公報（段落0002）
【特許文献２】特開2000-289376号公報
【特許文献３】特開2003-320779号公報（請求項2）
【発明の開示】
【発明が解決しようとする課題】
【０００５】
ファイルカバーを有しない樹脂製のリングバインダーは、軽量且つ用紙の見開き角度が大きく、簡易で便利なファイリング用具であるが、背表紙がないので、リングバインダーで綴じた冊子を書棚へ並べたときや積重ねた場合に冊子のファイル名が分かりにくく、また、冊子全体が撓みやすいこともあって、重要度の高い書類や使用頻度の高い書類にはファイルカバーを備えているバインダーが用いられることになる。しかし、一旦リングバインダーで綴じた冊子にカバーが必要となった場合は、冊子をリングバインダーから取外してカバー付バインダーへ移し変える手間がかかる。
【０００６】
そこで、冊子の用途や目的に応じてリングバインダーにファイルカバーを着脱できるようにして、利便性を向上するために解決すべき技術的課題が生じてくるのであり、本発明は上記課題を解決することを目的とする。
【課題を解決するための手段】
【０００７】
この発明は、上記目的を達成するために提案するものであり、背骨部にリング部を配列したリングバインダーへ装着するバックプレートであって、前記バックプレートの一面にリングバインダーへの係合手段を設け、リングバインダーへ着脱自在に形成したリングバインダー用のバックプレートを提供するものである。
【０００８】
また、上記係合手段は可撓性のフック爪であり、前記フック爪がリングバインダーの背骨部又はリング部へ係合してリングバインダーとバックプレートが連結されるように構成したリングバインダー用のバックプレートを提供するものである。
【０００９】
また、リングバインダーへ装着すべきバックプレートの側面から側方へ突出する可撓性のバインドタブを設け、バインドタブの先端にフック爪を設けるとともに、バインドタブをバックプレート側へ折畳んだときに前記フック爪が嵌合する係合溝を形成し、バインドタブをリングバインダーの背骨部へ掛け回して折畳み、前記フック爪を係合溝へ嵌合させることにより、リングバインダーとバックプレートが連結されるように構成したリングバインダー用のバックプレートを提供するものである。
【００１０】
また、冊子の表紙となるファイルカバーの背表紙部分に上記バックプレートを装着してリングバインダーへ着脱自在に形成したリングバインダー用のファイルカバーを提供するものである。
【発明の効果】
【００１１】
本発明は、冊子の背となるバックプレートをリングバインダーへ着脱自在に形成したので、冊子を綴じているリングバインダーにバックプレートを取り付け、バックプレートにファイル名などを記載することにより、冊子の検索が容易化する。また、バックプレートには冊子及びリングバインダーの撓みを抑える効果もある。また、バックプレートをファイルカバーの背表紙部分に固定して一体化することにより、必要に応じて冊子へファイルカバーを取り付けたり取り外したりすることができる。
【発明を実施するための最良の形態】
【００１２】
本発明は、冊子の背となるバックプレートにフック爪などの係合手段を設けて、バックプレートをリングバインダーへ着脱自在にした。バックプレートは単体でリングバインダーへ装着してもよく、また、ファイルカバーの背表紙の内側に固定することにより、リングバインダーで綴じた冊子へ簡単にファイルカバーを装着することができる。
【実施例１】
【００１３】
図1は、リングバインダーへ装着できるバックプレート1を示し、正面の上端近傍と下端近傍に設けた位置決め凸部2の間にV溝形のリング受け部3が形成されていて、リング受け部3中に、リングバインダーの背骨部を受ける凹溝形の背骨受け部4と、リングバインダーの背骨部に係合するフック爪5が所定の間隔で設けられている。図2(a) (b) (c)に図1のA部、B部、C部の断面を示す。フック爪5は、バックプレート1の左右中心線を挟んで左右に対向配置されており、対向するフック爪5の間に挿入されるリングバインダーの背骨部上面にフック爪5が係合して背骨部を保持する構造となっている。
【００１４】
図3は、樹脂板或いは厚紙のファイルカバー6の背表紙部の内側にバックプレート1を装着した状態を示している。バックプレート1は上下両端の近傍に形成した円穴7を利用してハトメやリベットによりファイルカバー6に結合するか、接着あるいは溶着などの手段によってファイルカバー6に結合してもよく、結合手段については特に限定するものではない。
【００１５】
図4はリングバインダー8とバックプレート1を結合する手順を示し、リングバインダー8で綴じた冊子Bを手で持ち、リングバインダー8の背骨部をバックプレート1のリング受け部3に対向させてバックプレート1へ押し付ければ、バックプレート1のフック爪5がリングバインダー8の背骨部によって押し広げられ、図5(a)に示すようにフック爪5が背骨部8aを左右両側から挟み込んでリングバインダー8とバックプレート1が結合される。図5(a) (b) (c)は図2(a) (b) (c)に対応する断面図であり、図5(b)に示すように、背骨受け部4の凹溝にリングバインダー8の背骨部8aが係合して支持され、図5(c)に示すように、リング受け部3にリングバインダー8のリング部8bが載って支持される。
【００１６】
図6にリングバインダー8で綴じた冊子Bにバックプレート1を介してファイルカバー6を装着した状態を示す。当然のことながらファイルカバー6の背表紙や表紙にはファイル名やその他の事項を記入したり、シールを貼付したりすることができ、書棚に収めたときや積重ねたときに背表紙の表示により冊子のファイル名を知ることができる。
【実施例２】
【００１７】
図7に示すバックプレート11は、図1のバックプレート1とはフック爪の向きが異なっており、上下で対を成すフック爪12の先端が対向している。図8(a) (b) (c)に図7のA部、B部、C部の断面を示す。図9及び図10は、バックプレート11へリングバインダー8を結合した状態を示し、リングバインダー8の背骨部をバックプレート11のリング受け部13に対向させてバックプレート11へ押し付ければ、バックプレート11のフック爪12がリングバインダー8のリング部8bによって押し広げられ、図10(a) (b)に示すようにリング部8bを上下両側から挟み込んで係合することにより、リングバインダー8とバックプレート11が結合される。
【実施例３】
【００１８】
図11に示すバックプレート21は、リングバインダーの結合手段としてフック爪に代えてバインドタブ22を設けている。バックプレート21の側面の上部、上下中間部、下部から横へ突出するバインドタブ22の先端にはフック爪23が形成されており、バックプレート21のバインドタブ設置側の反対側の縁部には、バインドタブ22のフック爪23と嵌合対偶をなす溝穴24が形成されている。図12(a)に図11のA部の断面を示す。
【００１９】
バインドタブ22の左右中間部にはリングバインダー8の背骨部が嵌合する溝25が形成されており、図12(a) (b) (c)に示すように、バインドタブ22を180度折曲げてバインドタブ22のフック爪23を溝穴24へ挿入すれば、フック爪23が溝穴24へ係合してバインドタブ22が折畳んだ状態で固定される。
【００２０】
図13は、バックプレート21へリングバインダー8を載せた状態を示し、同図に示すようにバインドタブ22は、リングバインダー8のリング部8bの間に位置するように配置されている。
【００２１】
図14はリングバインダー8とバックプレート21を結合する手順を示し、(a) に示すようにリングバインダー8の背骨部8aをバックプレート21のリング受け部26に対向させて載せ、(b) に示すようにバインドタブ22をバックプレート側へ折曲げ、(c) に示すようにバインドタブ22のフック爪23を溝穴24へ挿入すれば、リングバインダー8の背骨部8bはバインドタブ22の溝25に入り、バインドタブ22のフック爪23がバックプレート21の溝穴24へ係合してバインドタブ21が折畳んだ状態で固定され、リングバインダー8が固定される。
【００２２】
尚、予めリングバインダーで綴じた冊子へバックプレート21を取付ける際は、図15に示すようにバインドタブ22を起立させ、横倒しにした冊子Bを上方から下降させてリングバインダー8の背骨部8aと冊子Bの背との隙間へバインドタブ22を通すようにすればよい。
【実施例４】
【００２３】
以上の実施例は、バックプレートをファイルカバーに取り付けて使用する形態を説明したが、バックプレートを単体で使用してもよく、この場合は、バックプレートの背面（表面）に開口部分が無い平坦形状に形成し、背面にファイル名を記入したシールを貼付したり、ファイル名を直接記入したりすることにより冊子の検索を容易化することができる。
【００２４】
また、図16及び図17に示すように、バックプレート31の背面にT溝32を形成し、ファイル名を記入したT形断面のファイルネイムプレート33をT溝32へ係合させるように構成したものは、冊子Bの背を上へ向けてファイルケースへ縦に収納する場合に好適である。
【００２５】
尚、この発明は上記の実施形態に限定するものではなく、この発明の技術的範囲内において種々の改変が可能であり、この発明がそれらの改変されたものに及ぶことは当然である。
【図面の簡単な説明】
【００２６】
【図１】本発明のバックプレートを示し、（a）は正面図、（b）は右側面図、（c）は下側面図である。
【図２】（a）は図1のA-A線矢視断面図、（b）は図1のB-B線矢視断面図、（c）は図1のC-C線矢視断面図である。
【図３】図1のバックプレートをファイルカバーへ取付けた状態を示し、（a）は正面図、（b）は側面図である。
【図４】バックプレートへリングバインダーを取付ける手順の解説図。
【図５】バックプレートをファイルカバーへ取付けた状態を示し、（a）は図1のA-A線矢視断面図、（b）は図1のB-B線矢視断面図、（c）は図1のC-C線矢視断面図である。
【図６】リングバインダー及び冊子をファイルカバー付バックプレートへ取付けた状態を示す解説図。
【図７】バックプレートの他の実施形態を示し、（a）は正面図、（b）は右側面図、（c）は下側面図である。
【図８】（a）は図7のA-A線矢視断面図、（b）は図7のB-B線矢視断面図、（c）は図7のC-C線矢視断面図である。
【図９】図7のバックプレートへリングバインダーを結合した状態の平面図。
【図１０】図7のバックプレートへリングバインダーを結合した状態を示し、（a）は側面断面図、（b）は正面断面図である。
【図１１】バックプレートの他の実施形態を示す正面図である。
【図１２】(a) (b) (c)は図11のA-A線矢視断面図であり、図11のバックプレートのバインドタブ折曲げ過程の解説図である。
【図１３】図11のバックプレートへリングバインダーを載せた状態の平面図。
【図１４】(a) (b) (c)は図11のバックプレートへリングバインダーを取付ける手順の解説図である。
【図１５】リングバインダーで綴じた冊子へ図11のバックプレートを取付ける手順の解説図である。
【図１６】他の実施形態を示し、バックプレートへリングバインダーを取付ける手順の解説図である。
【図１７】図16のバックプレートとファイルネイムプレートの断面図である。
【符号の説明】
【００２７】
1      バックプレート
2      位置決め凸部
3      リング受け部
4      背骨受け部
5      フック爪
6      ファイルカバー
8      リングバインダー
8a     背骨部
8b     リング部
11     バックプレート
12     フック爪
13     リング受け部
21     バックプレート
22     バインドタブ
23     フック爪
24     溝穴
25     溝
26     リング受け部
31     バックプレート
32     T溝
33     ファイルネイムプレート
【図１】
2005262495.tif 000003
【図２】
2005262495.tif 000004
【図３】
2005262495.tif 000005
【図４】
2005262495.tif 000006
【図５】
2005262495.tif 000007
【図６】
2005262495.tif 000008
【図７】
2005262495.tif 000009
【図８】
2005262495.tif 000010
【図９】
2005262495.tif 000011
【図１０】
2005262495.tif 000012
【図１１】
2005262495.tif 000013
【図１２】
2005262495.tif 000014
【図１３】
2005262495.tif 000015
【図１４】
2005262495.tif 000016
【図１５】
2005262495.tif 000017
【図１６】
2005262495.tif 000018
【図１７】
2005262495.tif 000019